(57)【要約】【課題】内輪及び外輪の肩部を拡大させていても、保持器を二分割にしないで、複数の玉を保持することのできる保持器を備えた深溝玉軸受を提供する。【解決手段】深溝玉軸受１は、拡大肩部２３を軸方向他方側に有している内輪２と、軸方向一方側に拡大肩部３２を有している外輪３と、内軌道溝２１と外軌道溝３１との間に介在している複数の玉４と、複数の玉４を周方向に間隔をあけて保持する樹脂製の保持器５とを備えている。保持器５は、玉４の軸方向一方側に位置する環状部１１と、複数の柱部１２と、柱部１２から径方向外側に突出している突起部１３とを有している。突起部１３の径方向外側面１５は、外輪３の拡大肩部３２の内周面３２ａよりも径方向外側に位置し、環状部１１の外周面１７は、外輪３の拡大肩部３２の内周面３２ａよりも径方向内側に位置している。【選択図】      図１
2016205412.tif 000002
【特許請求の範囲】
【請求項１】
外周に内軌道溝が形成され軸方向一方側の肩部よりも高い拡大肩部を軸方向他方側に有している内輪と、
内周に外軌道溝が形成され軸方向一方側に軸方向他方側の肩部よりも高い拡大肩部を有している外輪と、
前記内軌道溝と前記外軌道溝との間に介在している複数の玉と、
複数の前記玉を周方向に間隔をあけて保持する樹脂製の保持器と、
を備え、
前記保持器は、前記玉の軸方向一方側に位置する環状部と、当該環状部から軸方向他方側に延在している複数の柱部と、当該柱部から径方向外側に突出している突起部と、を有しており、
前記突起部の径方向外側面は、前記外輪の前記拡大肩部の内周面よりも径方向外側に位置し、
前記環状部の外周面は、前記外輪の前記拡大肩部の内周面よりも径方向内側に位置している、深溝玉軸受。
【請求項２】
前記環状部の内周面は、前記柱部の径方向内側面よりも径方向内側に位置している、請求項１に記載の深溝玉軸受。
【請求項３】
前記突起部は、前記柱部から軸方向他方側にも突出する形状を有しており、
当該突起部は、径方向外側の第１頂部から軸方向他方側の第２頂部へ向かって傾斜する傾斜面を有し、当該第２頂部は前記外輪の前記拡大肩部の内周面よりも径方向内側に位置している、請求項１又は２に記載の深溝玉軸受。
【請求項４】
外周に内軌道溝が形成され軸方向一方側の肩部よりも高い拡大肩部を軸方向他方側に有している内輪と、
内周に外軌道溝が形成され軸方向一方側に軸方向他方側の肩部よりも高い拡大肩部を有している外輪と、
前記内軌道溝と前記外軌道溝との間に介在している複数の玉と、
複数の前記玉を周方向に間隔をあけて保持する樹脂製の保持器と、
を備え、
前記保持器は、前記玉の軸方向他方側に位置する環状部と、当該環状部から軸方向一方側に延在している複数の柱部と、当該柱部から径方向内側に突出している突起部と、を有しており、
前記突起部の径方向内側面は、前記内輪の前記拡大肩部の外周面よりも径方向内側に位置し、
前記環状部の内周面は、前記内輪の前記拡大肩部の外周面よりも径方向外側に位置している、深溝玉軸受。
【請求項５】
前記環状部の外周面は、前記柱部の径方向外側面よりも径方向外側に位置している、請求項４に記載の深溝玉軸受。
【請求項６】
前記突起部は、前記柱部から軸方向一方側にも突出する形状を有しており、
当該突起部は、径方向内側の第１頂部から軸方向一方側の第２頂部へ向かって傾斜する傾斜面を有し、当該第２頂部は前記内輪の前記拡大肩部の外周面よりも径方向外側に位置している、請求項４又は５に記載の深溝玉軸受。
【請求項７】
前記柱部は、前記環状部から軸方向に突出している本体部と、当該本体部の周方向両側からそれぞれ軸方向に更に突出している爪部と、を有し、
前記突起部は、前記本体部の周方向の中央部に位置している、請求項１〜６のいずれか一項に記載の深溝玉軸受。
【発明の詳細な説明】
【技術分野】
【０００１】
本発明は、深溝玉軸受に関する。
【背景技術】
【０００２】
ラジアル荷重の他にアキシャル荷重を受けることのできる転がり軸受として、円すいころ軸受及びアンギュラ玉軸受が知られている。しかし、円すいころ軸受及びアンギュラ玉軸受は軸方向についての予圧の設定が必要であり、ハウジングに対する軸受の組み付け性が多少複雑となる。
【０００３】
深溝玉軸受は、ハウジングへの組み付けの際に予圧の設定が不要であり、また、アキシャル荷重を受けることが可能である。しかし、アキシャル荷重が大きくなると、内輪又は外輪の肩部に玉が乗り上げ、玉に傷がついたり内輪や外輪に圧痕がついたりし、軸受の早期はく離が発生するおそれがある。
【０００４】
そこで、このような玉の乗り上げに関する問題点を解消するために、外輪の軸方向一方側の肩部と内輪の軸方向他方側の肩部とを、それぞれ高くした深溝玉軸受が提案されている（例えば、特許文献１参照）。
【先行技術文献】
【特許文献】
【０００５】
【特許文献１】特開２０１１−７２８６号公報
【発明の概要】
【発明が解決しようとする課題】
【０００６】
特許文献１に記載の深溝玉軸受によれば、内輪及び外輪の肩部を高くすることにより、大きなアキシャル荷重が負荷された際の玉の乗り上げを抑制することができる。しかし、図８に示すように、外輪９１の軸方向一方側（図８では右側）の肩部９２を高くすることで、この肩部９２と内輪９９の肩部９８との間に形成される環状の開口部９５は、玉９３の中心９３ａを基準とすると、径方向内側へ偏った構成となる。このため、単一の環状部９６ａから軸方向に延びる柱部９６ｂを複数有して構成される冠形の保持器９６を、この深溝玉軸受に適用すると、図８の二点鎖線で示すように、環状部９６ａの一部９６ｃが、外輪９１の高くした肩部９２と干渉してしまう。また、このような保持器９６を、内輪９９と外輪９１との間に介在させた玉９３に対して、前記開口部９５を通じて組み付けることは不可能である。
【０００７】
そこで特許文献１では、内輪及び外輪の肩部を拡大させた深溝玉軸受において、この肩部に保持器が干渉しないように、また、保持器の組み付けを可能とするために、保持器を二分割とし、両分割体が結合する構成となっている。しかし、この深溝玉軸受では、分割体の結合が確実に行われているか否か等の管理が必須となり、管理コストが増大する。
【０００８】
そこで、本発明は、内輪及び外輪の肩部を拡大させていても、保持器を二分割にしないで、複数の玉を保持することのできる保持器を備えた深溝玉軸受を提供することを目的とする。
【課題を解決するための手段】
【０００９】
本発明の深溝玉軸受は、外周に内軌道溝が形成され軸方向一方側の肩部よりも高い拡大肩部を軸方向他方側に有している内輪と、内周に外軌道溝が形成され軸方向一方側に軸方向他方側の肩部よりも高い拡大肩部を有している外輪と、前記内軌道溝と前記外軌道溝との間に介在している複数の玉と、複数の前記玉を周方向に間隔をあけて保持する樹脂製の保持器と、を備え、前記保持器は、前記玉の軸方向一方側に位置する環状部と、当該環状部から軸方向他方側に延在している複数の柱部と、当該柱部から径方向外側に突出している突起部と、を有しており、前記突起部の径方向外側面は、前記外輪の前記拡大肩部の内周面よりも径方向外側に位置し、前記環状部の外周面は、前記外輪の前記拡大肩部の内周面よりも径方向内側に位置している。
【００１０】
本発明によれば、内輪及び外輪が拡大肩部を有していることにより、アキシャル荷重による玉の乗り上げを抑制することができる。そして、内軌道溝と外軌道溝との間に複数の玉が介在している状態で、これら玉に対して保持器を軸方向一方側から接近させて組み付ける際、保持器が有する突起部の径方向外側面は、外輪の拡大肩部の内周面よりも径方向外側に位置していることから、突起部が拡大肩部に接触して柱部を径方向内側に弾性変形させ、そして、突起部が拡大肩部を通過すると柱部を復元させて保持器は複数の玉を保持した状態となる。また、この組み付けの際に柱部が拡大肩部に干渉しないことから、柱部の損傷を防ぐことができる。そして、組み付け完了の状態において、環状部の外周面は、外輪の拡大肩部の内周面よりも径方向内側に位置していることから、拡大肩部に環状部は干渉しない。
以上より、拡大肩部を有する深溝玉軸受において、単一部材からなる保持器により複数の玉を保持することができる構成が得られる。
【００１１】
また、前記のとおり、環状部の外周面は、外輪の拡大肩部の内周面よりも径方向内側に位置している。そして、前記環状部の内周面は、前記柱部の径方向内側面よりも径方向内側に位置しているのが好ましい。この場合、環状部の径方向寸法を大きくすることが可能となり、環状部の剛性が低下するのを防ぐことができる。
【００１２】
また、前記突起部は、前記柱部から軸方向他方側にも突出する形状を有しており、当該突起部は、径方向外側の第１頂部から軸方向他方側の第２頂部へ向かって傾斜する傾斜面を有し、当該第２頂部は前記外輪の前記拡大肩部の内周面よりも径方向内側に位置しているのが好ましい。
この場合、内軌道溝と外軌道溝との間の複数の玉に対して保持器を組み付ける際、保持器を軸方向一方側から外輪に接近させると、外輪の拡大肩部の内周面における軸方向外側端部に、突起部の傾斜面が接触する。その後、軸方向外側端部に傾斜面が摺接しながら保持器は軸方向に進行し、柱部を径方向内側に弾性変形させることができる。このように、保持器を組み付けるためには、軸方向一方側から外輪に接近させればよく、保持器を組み付ける作業が容易となる。
【００１３】
また、本発明の深溝玉軸受は、外周に内軌道溝が形成され軸方向一方側の肩部よりも高い拡大肩部を軸方向他方側に有している内輪と、内周に外軌道溝が形成され軸方向一方側に軸方向他方側の肩部よりも高い拡大肩部を有している外輪と、前記内軌道溝と前記外軌道溝との間に介在している複数の玉と、複数の前記玉を周方向に間隔をあけて保持する樹脂製の保持器と、を備え、前記保持器は、前記玉の軸方向他方側に位置する環状部と、当該環状部から軸方向一方側に延在している複数の柱部と、当該柱部から径方向内側に突出している突起部と、を有しており、前記突起部の径方向内側面は、前記内輪の前記拡大肩部の外周面よりも径方向内側に位置し、前記環状部の内周面は、前記内輪の前記拡大肩部の外周面よりも径方向外側に位置している。
【００１４】
本発明によれば、内輪及び外輪が拡大肩部を有していることにより、アキシャル荷重による玉の乗り上げを抑制することができる。そして、内軌道溝と外軌道溝との間に複数の玉が介在している状態で、これら玉に対して保持器を軸方向他方側から接近させて組み付ける際、保持器が有する突起部の径方向内側面は、内輪の拡大肩部の外周面よりも径方向内側に位置していることから、突起部が拡大肩部に接触して柱部を径方向外側に弾性変形させ、そして、突起部が拡大肩部を通過すると柱部を復元させて保持器は複数の玉を保持した状態となる。また、この組み付けの際に柱部が拡大肩部に干渉しないことから、柱部の損傷を防ぐことができる。そして、組み付け完了の状態において、環状部の内周面は、内輪の拡大肩部の外周面よりも径方向外側に位置していることから、拡大肩部に環状部は干渉しない。
以上より、拡大肩部を有する深溝玉軸受において、単一部材からなる保持器により複数の玉を保持することができる構成が得られる。
【００１５】
また、前記のとおり、環状部の内周面は、内輪の拡大肩部の外周面よりも径方向外側に位置している。そして、前記環状部の外周面は、前記柱部の径方向外側面よりも径方向外側に位置しているのが好ましい。この場合、環状部の径方向寸法を大きくすることが可能となり、環状部の剛性が低下するのを防ぐことができる。
【００１６】
また、前記突起部は、前記柱部から軸方向一方側にも突出する形状を有しており、当該突起部は、径方向内側の第１頂部から軸方向一方側の第２頂部へ向かって傾斜する傾斜面を有し、当該第２頂部は前記内輪の前記拡大肩部の外周面よりも径方向外側に位置しているのが好ましい。
この場合、内軌道溝と外軌道溝との間の複数の玉に対して保持器を組み付ける際、保持器を軸方向他方側から内輪に接近させると、内輪の拡大肩部の外周面における軸方向外側端部に、突起部の傾斜面が接触する。その後、軸方向外側端部に傾斜面が摺接しながら保持器は軸方向に進行し、柱部を径方向外側に弾性変形させることができる。このように、保持器を組み付けるためには、軸方向他方側から外輪に接近させればよく、保持器を組み付ける作業が容易となる。
【００１７】
また、前記各深溝玉軸受において、前記柱部は、前記環状部から軸方向に突出している本体部と、当該本体部の周方向両側からそれぞれ軸方向に更に突出している爪部と、を有し、前記突起部は、前記本体部の周方向の中央部に位置しているのが好ましい。これにより、突起部と爪部とはそれぞれ独立して本体部から突出しており、突起部は爪部の弾性変形を阻害しない構成が得られる。
【発明の効果】
【００１８】
本発明の深溝玉軸受によれば、内輪及び外輪の肩部を拡大させていても、保持器を二分割にしないで、保持器は複数の玉を保持することのできる構成が得られる。
【図面の簡単な説明】
【００１９】
【図１】深溝玉軸受の実施の一形態を示す縦断面図である。
【図２】保持器の一部を径方向外側から見た図である。
【図３】保持器を内輪及び外輪の間に組み付ける前の状態を示す縦断面図である。
【図４】保持器を内輪及び外輪の間に組み付ける途中の状態を示す縦断面図である。
【図５】他の深溝玉軸受を示す縦断面である。
【図６】保持器を内輪及び外輪の間に組み付ける前の状態を示す縦断面図である。
【図７】保持器を内輪及び外輪の間に組み付ける途中の状態を示す縦断面図である。
【図８】従来の深溝玉軸受の縦断面図である。
【発明を実施するための形態】
【００２０】
以下、本発明の実施の形態を図面に基づいて説明する。
図１は、深溝玉軸受１の実施の一形態を示す縦断面図である。この深溝玉軸受１は、内輪２と、この内輪２の径方向外側に設けられている外輪３と、これら内輪２と外輪３との間に設けられている複数の玉４と、これらの玉４を保持している環状の保持器５とを備えている。
【００２１】
内輪２は、軸受鋼や機械構造用鋼等を用いて形成された環状の部材であり、その外周に、玉４が転動する内軌道溝２１が形成されている。そして、この内輪２は、内軌道溝２１の軸方向一方側に第１の肩部２２、及び、内軌道溝２１の軸方向他方側に第２の肩部２３を有しており、第２の肩部２３の方が第１の肩部２２よりも高くなっている。つまり、第２の肩部２３の外周面２３ａの方が第１の肩部２２の外周面２２ａよりも直径（外径）が大きくなっている。以下、軸方向他方側に設けられている第２の肩部２３を、拡大肩部２３と呼ぶ。
【００２２】
外輪３は、軸受鋼や機械構造用鋼等を用いて形成された環状の部材であり、その内周に、玉４が転動する外軌道溝３１が形成されている。そして、この外輪３は、外軌道溝３１の軸方向一方側に第１の肩部３２、及び、外軌道溝３１の軸方向他方側に第２の肩部３３を有しており、第１の肩部３２の方が第２の肩部３３よりも高くなっている。つまり、第１の肩部３２の内周面３２ａの方が第２の肩部３３の内周面３３ａよりも直径（内径）が小さくなっている。以下、軸方向一方側に設けられている第１の肩部３２を拡大肩部３２と呼ぶ。
【００２３】
内輪２の拡大肩部２３及び外輪３の拡大肩部３２が、深溝玉軸受１に作用するアキシャル荷重を受ける側の肩部となる。このように内輪２が内軌道溝２１の底から高くなっている拡大肩部２３を有しており、外輪３が外軌道溝３１の底から高くなっている拡大肩部３２を有していることにより、アキシャル荷重による玉４の乗り上げを抑制することができ、高アキシャル荷重を受けることが可能となる。
【００２４】
玉４は、軸受鋼等を用いて形成された部材であり、内軌道溝２１と外軌道溝３１との間に複数介在し、これら内軌道溝２１及び外軌道溝３１を転動する。
【００２５】
保持器５は、玉４の軸方向一方側に位置する環状部１１と、この環状部１１から軸方向他方側に延在している複数の柱部１２とを有しており、いわゆる冠形の保持器である。環状部１１は、円環形状の部分であり、外輪３の拡大肩部３２と内輪２の肩部２２との間に形成されている環状の開口部Ｋ１に位置している。そして、この保持器５は、更に、各柱部１２から突出して設けられている突起部１３を有している。
【００２６】
図２は、保持器５の一部を径方向外側から見た図である。図２では、玉４を二点鎖線で示している。環状部１１の軸方向他方側であって周方向で隣り合う柱部１２，１２の間が、玉４を収容するポケット１４となる。これにより、保持器５は、複数の玉４を周方向に間隔をあけて保持することができる。
【００２７】
保持器５は、樹脂製（合成樹脂製）であり、射出成形によって成形することができる。つまり、環状部１１と柱部１２と突起部１３とは一体成形されており、この保持器５は単一部材からなる。
【００２８】
柱部１２は、環状部１１と連続しており環状部１１から軸方向他方側に突出している本体部４１と、この本体部４１の周方向両側からそれぞれ軸方向他方側に更に突出している爪部４２とを有している。環状部１１、爪部４２、及び本体部４１のポケット１４（の中心）に臨む面は、玉４の外周面と対向し当接可能となるポケット面１４ａである。ポケット面１４ａは、玉４の直径Ｄよりも僅かに大きな直径を有する仮想球に沿った形状（部分凹球面形状）を有している。
【００２９】
一つのポケット１４を挟んで周方向で隣り合う一対の爪部４２，４２の周方向間隔Ｂは、玉４の直径Ｄよりも小さくなっており、また、ポケット面１４ａは、前記仮想球に沿った形状を有していることから、玉４はポケット１４に保持されると共に、保持器５は周方向に並ぶ複数の玉４から脱落しないように維持される。なお、後にも説明するが（図４参照）、内輪２と外輪３との間に複数の玉４が介在している状態で、保持器５を内輪２と外輪３との間に組み付けるが、この際、前記間隔Ｂ（図２参照）が広がるように爪部４２を弾性変形させることで、その組み付けを可能としている。
【００３０】
図１において、柱部１２の径方向外側に向く面（径方向外側面）１２ａは、環状部１１の外周面１７よりも径方向外側に位置しており、これら径方向外側面１２ａと外周面１７との間に、柱部１２は傾斜面１８を有している。また、環状部１１の内周面１６は、柱部１２の径方向内側に向く面（径方向内側面）１２ｂよりも径方向内側に位置しており、これら径方向内側面１２ｂと内周面１６との間に、柱部１２は傾斜面１９を有している。このように、全体として円環状である保持器５は、柱部１２と環状部１１とにおいて、外周面の直径が異なっており、また、内周面の直径も異なっている。そして、本実施形態では、柱部１２と環状部１１とにおいて、径方向寸法（厚さ）が一定となっている。
【００３１】
本実施形態の突起部１３は、柱部１２から径方向外側に突出していると共に（図１参照）、軸方向他方側にも突出している（図２参照）。図２に示すように、突起部１３は、柱部１２の本体部４１から突出して設けられており、本体部４１の周方向の中央部に位置している。突起部１３とその両側の爪部４２とはそれぞれ独立して本体部４１から突出しており、突起部１３は爪部４２の弾性変形を阻害しない。
【００３２】
図３は、保持器５を内輪２及び外輪３の間に組み付ける前の状態を示す縦断面図である。図３において、外輪３の拡大肩部３２の内周面３２ａを延長した仮想線Ｌ１を二点鎖線で示している。内周面３２ａは、外輪３の軸線を中心とする円筒面からなるため、仮想線Ｌ１はこの軸線に平行となる。
突起部１３は、径方向外側に向く面（径方向外側面）１５を有しており、この径方向外側面１５は、外輪３の拡大肩部３２の内周面３２ａよりも径方向外側に位置している。
【００３３】
なお、保持器５が有する柱部１２の径方向外側面１２ａも、外輪３の拡大肩部３２の内周面３２ａよりも径方向外側に位置している。このため、後にも説明するが（図３参照）、内輪２及び外輪３の間に介在する複数の玉４に対して保持器５を軸方向一方側から接近させて組み付ける際、保持器５が突起部１３を備えていないと仮定すると、柱部１２（爪部４２）の一部（径方向外側の部分）が外輪３の拡大肩部３２に干渉し、組み付け不能となる。しかし、本実施形態では、後に説明するが、保持器５は突起部１３を備えていることから、組み付け可能となる。
【００３４】
また、保持器５が有する環状部１１の外周面１７は、外輪３の拡大肩部３２の内周面３２ａよりも径方向内側に位置している。このため、保持器５を内輪２と外輪３との間に組み付け完了した状態で（図１参照）、環状部１１は外輪３の拡大肩部３２に干渉しない。
【００３５】
突起部１３について更に説明する。突起部１３は、前記のとおり、柱部１２の本体部４１から径方向外側に突出する形状を有しており、その最も径方向外側に位置している頂部（第１頂部５１）は、柱部１２が有する爪部４２よりも径方向外側に位置している。第１頂部５１は、前記径方向外側面１５に含まれる。
また、突起部１３は、前記のとおり、柱部１２の本体部４１から軸方向他方側にも突出する形状を有しており、その最も軸方向他方側に位置している頂部（第２頂部５２）は、柱部１２が有する爪部４２よりも軸方向他方側に突出している。この第２頂部５２は、外輪３の拡大肩部３２の内周面３２ａよりも径方向内側に位置しており、第１頂部５１は、この内周面３２ａよりも径方向外側に位置している（図３参照）。
そして、突起部１３は、径方向外側の第１頂部５１から軸方向他方側の第２頂部５２へ向かって傾斜する傾斜面５３を有している。本実施形態の傾斜面５３は平面であるが、曲面であってもよい。傾斜面５３は、爪部４２よりも径方向外側に位置しかつ軸方向他方側に位置している。
【００３６】
以上の構成を備えている深溝玉軸受１の組み立てについて説明する。まず、内輪２（内軌道溝２１）と外輪３（外軌道溝３１）との間に複数の玉４を介在させ中間品７とする（図３参照）。そして、この中間品７に対して環状である保持器５を軸方向一方側から接近させ、軸方向一方側にある環状の開口部Ｋ１を通じて、この保持器５を内輪２と外輪３との間に組み付ける。
【００３７】
このように、内輪２と外輪３との間に複数の玉４が介在している状態で、これら玉４に対して保持器５を軸方向一方側から接近させて組み付ける際、この保持器５が有する突起部１３の径方向外側面１５は、前記のとおり、外輪３の拡大肩部３２の内周面３２ａよりも径方向外側に位置していることから、図４に示すように、突起部１３が拡大肩部３２に接触して柱部１２を径方向内側に弾性変形させる。柱部１２は、環状部１１を固定側とする片持梁状となっており、保持器５は全体が樹脂製であることから、この組み付けの際に各柱部１２は径方向内側に弾性変形することができる。つまり、樹脂からなる保持器５の弾性変形を利用して、保持器５を内輪２と外輪３との間に組み付ける。
【００３８】
特に本実施形態では、突起部１３は、径方向外側の第１頂部５１から軸方向他方側の第２頂部５２へ向かって傾斜する傾斜面５３を有しており、この第２頂部５２は外輪３の拡大肩部３２の内周面３２ａよりも径方向内側に位置している（図３参照）。このため、中間品７に対して保持器５を組み付ける際、同一中心線に沿って保持器５を軸方向一方側から外輪３に接近させると、外輪３の拡大肩部３２の内周面３２ａにおける軸方向外側端部３２ａ１に、突起部１３の傾斜面５３が接触する。その後、軸方向外側端部３２ａ１に傾斜面５３が摺接しながら保持器５は軸方向に進行し、図４に示すように、柱部１２を径方向内側に弾性変形させることができる。このように、保持器５を組み付けるためには、軸方向一方側から外輪３に対して同一中心線に沿って接近させればよく、保持器５を組み付ける作業が容易となる。突起部１３は、保持器５を組み付ける際のガイドとして機能する。
【００３９】
そして、突起部１３が拡大肩部３２を通過すると柱部１２を径方向外側に復元させて、ポケット１４に複数の玉４を正規の位置で収容した状態となる（図１参照）。また、この組み付けの際、突起部１３を拡大肩部３２に接触させることで、柱部１２が拡大肩部３２に干渉しない。このため、柱部１２、特に、先部に設けられている爪部４２の損傷を防ぐことができる。これにより、組み付けが完了する。
【００４０】
組み付け完了の状態（図１参照）において、環状部１１の外周面１７は、外輪３の拡大肩部３２の内周面３２ａよりも径方向内側に位置している。このため、拡大肩部３２に環状部１１は干渉せず、保持器５は、周方向に並ぶ複数の玉４と共に、自由に回転することが可能となる。
【００４１】
以上より、内輪２及び外輪３が拡大肩部２３，３２を有する深溝玉軸受１において（図１参照）、単一部材からなる保持器５により安定して複数の玉を保持することができる構成が得られる。また、本実施形態の保持器５は、玉４の中心Ｃを基準として径方向外側及び径方向内側の双方にポケット面１４ａを有している。このために、柱部１２は、外輪３の拡大肩部３２の内周面３２ａよりも径方向外側に位置している径方向外側面１２ａを有しており、また、内輪２の拡大肩部２３の外周面２３ａよりも径方向内側に位置している径方向内側面１２ｂを有し、柱部１２の径方向寸法を大きくしている。これにより、ポケット１４（ポケット面１４ａ）の径方向寸法を大きくすることができ、玉４の保持力を高めることができる。
【００４２】
また、この保持器５において、環状部１１の外周面１７を、外輪３の拡大肩部３２の内周面３２ａよりも径方向内側に位置させるために、この外周面１７を、柱部１２の径方向外側面１２ａよりも径方向内側に位置させている。このため、仮に、保持器５の内周側において、環状部１１の内周面１６と柱部１２の径方向内側面１２ｂとを同一の仮想円筒面上に配置させると、環状部１１における径方向寸法が柱部１２に比べて小さくなり、環状部１１の剛性が低下してしまう。しかし、本実施形態では、環状部１１の内周面１６は、柱部１２の径方向内側面１２ｂよりも径方向内側に位置している。このため、環状部１１の径方向寸法を、柱部１２と同等に大きくすることが可能となり、環状部１１の剛性が低下するのを防ぐことができる。なお、本実施形態の保持器５では、外周側における径方向外側面１２ａと外周面１７との径方向寸法差（段差の寸法）を、内周側における径方向内側面１２ｂと内周面１６との径方向寸法差（段差の寸法）と、同じとしている。
【００４３】
また、組み付け完了の状態（図１）において、突起部１３は、外軌道溝３１の軸方向の範囲内に存在しており、この突起部１３の径方向外側面１５は、外輪３の拡大肩部３２の内周面３２ａよりも径方向外側に位置している。このため、保持器５が、一旦、内輪２と外輪３との間に組み付けられると、突起部１３により軸方向一方側に抜けにくくなる。つまり、保持器５が玉４から軸方向一方側に脱落しようとしても、突起部１３が拡大肩部３２に当接することで、この脱落を阻止することが可能となる。
【００４４】
図５は、他の深溝玉軸受１を示す縦断面図である。図５に示す深溝玉軸受１は、図１に示す深溝玉軸受１と比較すると、保持器５のみが異なる。このため、ここでは、内輪２、外輪３、及び玉４についての説明は省略する。
また、図５に示す深溝玉軸受１では、内輪２及び外輪３の間の複数の玉４に対する保持器５の組み付け方向が、図１に示す深溝玉軸受１と反対である。つまり、図５の場合、内輪２の拡大肩部２３と外輪３の肩部３３との間に形成されている軸方向他方側の環状の開口部Ｋ２を通じて、保持器５を内輪２と外輪３との間に組み付ける。このために、図５に示す保持器５の形状は、図１に示すものを軸方向及び径方向に対称とした形状を有している。
【００４５】
図５において、保持器５は、玉４の軸方向他方側に位置する環状部１１と、この環状部１１から軸方向一方側に延在している複数の柱部１２とを有しており、いわゆる冠形の保持器である。環状部１１は、円環形状の部分であり、外輪３の肩部３３と内輪２の拡大肩部２３との間に形成されている環状の開口部Ｋ２に位置している。そして、この保持器５は、更に、各柱部１２から突出して設けられている突起部１３を有している。
そして、環状部１１の軸方向一方側であって周方向で隣り合う柱部１２，１２の間が、玉４を収容するポケット１４となり、これにより、保持器５は、複数の玉４を周方向に間隔をあけて保持することができる。
【００４６】
保持器５は、樹脂製（合成樹脂製）であり、射出成形によって成形することができる。つまり、環状部１１と柱部１２と突起部１３とは一体成形されており、この保持器５は単一部材からなる。
【００４７】
また、柱部１２は、環状部１１と連続しており環状部１１から軸方向一方側に突出している本体部４１と、この本体部４１の周方向両側からそれぞれ軸方向一方側に更に突出している爪部４２とを有している。この保持器５の構成は、軸方向一方側と他方側とが反対となるが図２に示す保持器５と同様である。このため、図５に示す保持器５の突起部１３について図２を参考にして説明すると、突起部１３は、柱部１２の本体部４１から突出して設けられており、本体部４１の周方向の中央部に位置している。突起部１３とその両側の爪部４２とはそれぞれ独立して本体部４１から突出しており、突起部１３は爪部４２の弾性変形を阻害しない。
【００４８】
図６は、保持器５を内輪２及び外輪３の間に組み付ける前の状態を示す縦断面図である。図６において、内輪２の拡大肩部２３の外周面２３ａを延長した仮想線Ｌ２を二点鎖線で示している。外周面２３ａは、内輪２の軸線を中心とする円筒面からなるため、仮想線Ｌ２はこの軸線に平行となる。
【００４９】
本実施形態の突起部１３（図５参照）は、柱部１２から径方向内側に突出していると共に、軸方向一方側にも突出している。そして、図６に示すように、突起部１３は、径方向内側に向く面（径方向内側面）６５を有しており、この径方向内側面６５は、内輪２の拡大肩部２３の外周面２３ａよりも径方向内側に位置している。
【００５０】
なお、保持器５が有する柱部１２の径方向内側面１２ｂも、内輪２の拡大肩部２３の外周面２３ａよりも径方向内側に位置している。このため、後にも説明するが（図６参照）、内輪２及び外輪３の間に介在する複数の玉４に対して保持器５を軸方向他方側から接近させて組み付ける際、保持器５が突起部１３を備えていないと仮定すると、柱部１２（爪部４２）の一部（径方向内側の部分）が内輪２の拡大肩部２３に干渉し、組み付け不能となる。しかし、本実施形態では、後に説明するが、保持器５は突起部１３を備えていることから、組み付け可能となる。
【００５１】
また、保持器５が有する環状部１１の内周面１６は、内輪２の拡大肩部２３の外周面２３ａよりも径方向外側に位置している。このため、保持器５を内輪２と外輪３との間に組み付け完了した状態で（図５参照）、環状部１１は内輪２の拡大肩部２３に干渉しない。
【００５２】
突起部１３について更に説明する。突起部１３は、柱部１２の本体部４１から径方向内側に突出する形状を有しており、その最も径方向内側に位置している頂部（第１頂部５１）は、柱部１２が有する爪部４２よりも径方向内側に位置している。第１頂部５１は、前記径方向内側面６５に含まれる。
また、突起部１３は、柱部１２の本体部４１から軸方向一方側にも突出する形状を有しており、その最も軸方向一方側に位置している頂部（第２頂部５２）は、柱部１２が有する爪部４２よりも軸方向一方側に突出している。この第２頂部５２は、内輪２の拡大肩部２３の外周面２３ａよりも径方向外側に位置しており、第１頂部５１は、この外周面２３ａよりも径方向内側に位置している（図６参照）。
そして、突起部１３は、径方向内側の第１頂部５１から軸方向一方側の第２頂部５２へ向かって傾斜する傾斜面５３を有している。本実施形態の傾斜面５３は平面であるが、曲面であってもよい。傾斜面５３は、爪部４２よりも径方向外側に位置しかつ軸方向他方側に位置している。
【００５３】
以上の構成を備えている深溝玉軸受１の組み立てについて説明する。まず、内輪２（内軌道溝２１）と外輪３（外軌道溝３１）との間に複数の玉４を介在させ中間品７とする（図６参照）。そして、この中間品７に対して環状である保持器５を軸方向他方側から接近させ、軸方向他方側にある環状の開口部Ｋ２を通じて、この保持器５を内輪２と外輪３との間に組み付ける。
【００５４】
このように、内輪２と外輪３との間に複数の玉４が介在している状態で、これら玉４に対して保持器５を軸方向他方側から接近させて組み付ける際、この保持器５が有する突起部１３の径方向内側面６５は、前記のとおり、内輪２の拡大肩部２３の外周面２３ａよりも径方向内側に位置していることから、図７に示すように、突起部１３が拡大肩部２３に接触して柱部１２を径方向外側に弾性変形させる。柱部１２は、環状部１１を固定側とする片持梁状となっており、保持器５は全体が樹脂製であることから、この組み付けの際に各柱部１２は径方向外側に弾性変形することができる。つまり、樹脂からなる保持器５の弾性変形を利用して、保持器５を内輪２と外輪３との間に組み付ける。
【００５５】
特に本実施形態では、突起部１３は、径方向内側の第１頂部５１から軸方向一方側の第２頂部５２へ向かって傾斜する傾斜面５３を有しており、この第２頂部５２は内輪２の拡大肩部２３の外周面２３ａよりも径方向外側に位置している（図６参照）。このため、中間品７に対して保持器５を組み付ける際、同一中心線に沿って保持器５を軸方向他方側から内輪２に接近させると、内輪２の拡大肩部２３の外周面２３ａにおける軸方向外側端部２３ａ１に、突起部１３の傾斜面５３が接触する。その後、軸方向外側端部２３ａ１に傾斜面５３が摺接しながら保持器５は軸方向に進行し、図７に示すように、柱部１２を径方向外側に弾性変形させることができる。このように、保持器５を組み付けるためには、軸方向他方側から内輪２に対して同一中心線に沿って接近させればよく、保持器５を組み付ける作業が容易となる。突起部１３は、保持器５を組み付ける際のガイドとして機能する。
【００５６】
そして、突起部１３が拡大肩部２３を通過すると柱部１２を径方向内側に復元させて、ポケット１４に複数の玉４を正規の位置で収容した状態となる（図５参照）。また、この組み付けの際、突起部１３を拡大肩部２３に接触させることで、柱部１２が拡大肩部２３に干渉しない。このため、柱部１２、特に、先部に設けられている爪部４２の損傷を防ぐことができる。これにより、組み付けが完了する。
【００５７】
組み付け完了の状態（図５参照）において、環状部１１の内周面１６は、内輪２の拡大肩部２３の外周面２３ａよりも径方向外側に位置している。このため、拡大肩部２３に環状部１１は干渉せず、保持器５は、周方向に並ぶ複数の玉４と共に、自由に回転することが可能となる。
【００５８】
以上より、本実施形態の深溝玉軸受１によれば、内輪２及び外輪３が拡大肩部２３，３２を有していることにより、アキシャル荷重による玉の乗り上げを抑制することができ、高アキシャル荷重を受けることが可能となる。
そして、このように内輪２及び外輪３が拡大肩部２３，３２を有する深溝玉軸受１において、単一部材からなる保持器５により安定して複数の玉を保持することができる構成が得られる。
【００５９】
また、この保持器５において、環状部１１の内周面１６を、内輪２の拡大肩部２３の外周面２３ａよりも径方向外側に位置させるために、この内周面１６を、柱部１２の径方向内側面１２ｂよりも径方向外側に位置させている。このため、仮に、保持器５の外周側において、環状部１１の外周面１７と柱部１２の径方向外側面１２ａとを同一の仮想円筒面上に配置させると、環状部１１における径方向寸法が柱部１２よりも小さくなり、環状部１１の剛性が低下してしまう。しかし、本実施形態では、環状部１１の外周面１７は、柱部１２の径方向外側面１２ａよりも径方向外側に位置している。このため、環状部１１の径方向寸法を、柱部１２と同等に大きくすることが可能となり、環状部１１の剛性が低下するのを防ぐことができる。本実施形態の保持器５では、外周側における径方向外側面１２ａと外周面１７との径方向寸法差（段差の寸法）を、内周側における径方向内側面１２ｂと内周面１６との径方向寸法差（段差の寸法）と、同じとしている。
【００６０】
なお、以上のとおり開示した実施形態はすべての点で例示であって制限的なものではない。つまり、本発明の深溝玉軸受は、図示する形態に限らず本発明の範囲内において他の形態のものであってもよい。
【符号の説明】
【００６１】
１：深溝玉軸受      ２：内輪      ３：外輪      ４：玉
５：保持器      １１：環状部      １２：柱部
１２ａ：径方向外側面      １２ｂ：径方向内側面      １３：突起部
１５：径方向外側面      １６：環状部の内周面      １７：環状部の外周面
２１：内軌道溝      ２２：軸方向一方側の肩部      ２３：拡大肩部
２３ａ：外周面      ３１：外軌道溝      ３２：拡大肩部
３２ａ：内周面      ３３：軸方向他方側の肩部      ５１：第１頂部
５２：第２頂部      ５３：傾斜面      ６５：径方向内側面
【図１】
2016205412.tif 000003
【図２】
2016205412.tif 000004
【図３】
2016205412.tif 000005
【図４】
2016205412.tif 000006
【図５】
2016205412.tif 000007
【図６】
2016205412.tif 000008
【図７】
2016205412.tif 000009
【図８】
2016205412.tif 000010